(57)【要約】      （修正有）【課題】無人運用で防災（水害、洪水、火災、高潮、津波、堤防破壊対策）を行うテンポラリ河川海浜堰システムを提供する。【解決手段】ピケ足場の鉛管と接ぎ留め金具の組み形状で水袋の形を創り水袋のサイズ・形状を給排水で整え構成して土のうに追加し、水袋を一時的仮設の河川又は海浜の堰とする。水袋は給排水兼用配管とバルブ付き吸込口とバルブ付き吐出口、電動式ポンプ付き給排水制御システムを具備する。防火対策の水袋から霧雨状又は雲粒状の微粒子を作るための噴霧用ノズルを具備する。【選択図】図１
0003159307.tif 000002
【実用新案登録請求の範囲】
【請求項１】
給排水兼用配管に吸込口（バルブ付き）と吐出口（バブル付き）を具備し、電動式ポンプ付き給排水制御システムにより水袋を河川又は海浜の堰として防災（水害、洪水、火災、高潮、津波、堤防破壊）の柔軟な運用をするテンポラリ河川海浜システム。
【請求項２】
水袋を砂袋として運用できるサンドブラストシステムを具備する事を特徴とする請求項１記載のテンポラリ河川海浜堰システム。
【請求項３】
水袋を空気袋として運用できる圧縮空気送入システムを具備する事を特徴とする請求項１記載のテンポラリ河川海浜堰システム。
【請求項４】
河川海浜水位検出による制御情報発生システムを具備する事を特徴とする請求項１記載のテンポラリ河川海浜堰システム。
【考案の詳細な説明】
【技術分野】
【０００１】
本考案は、従来の臨情状態水位上昇対策のテンポラリ河川海浜堰システムに関する。
【背景技術】
【０００２】
鹿児島市甲突川氾濫、ミシシッピ川氾濫、オランダに例有りその対策のテンポラリ河川海浜堰システムです。
【考案の開示】
【考案が解決しようとする課題】
【０００３】
しかしながら、土のうを積んでの人海戦術による防災（水害、洪水、火災、高潮、津波、堤防破壊）では、完全性、正確性、妥当性、適時性そして永遠性としての近代技術にマッチングしていないという欠点がある。
【０００４】
本考案は、上記実情に鑑みてなされたものであり、水袋、（空気袋、砂袋）を土のうの代わりに採用し、人海戦術によらない自動運用の防災を目的としている。
【課題を解決するための手段】
【０００５】
上記目的を達成するため考案は、自然の河川海浜水位水量に対応した自動化給排水による水袋の形状によるテンポラリ河川海浜堰システムで有り、次の構成を含む事を特徴としている。
電動式ポンプ付き給排水制御システムにより自然の河川海浜の増水防災目的で給排水兼用配管に吸込口（バルブ付き）で吸込み送水配管する事によって水袋を従来の土のうの代わりに形状を整え、又はサンドブラストシステムにより水袋の代わりに砂袋として、圧縮空気送入システムでは水袋の代わりに空気袋がその機能を果たす事ができるテンポラリ河川海浜堰システムである。
【考案の効果】
【０００６】
本考案により、防災（水害、洪水、火災、津波、高潮、堤防破壊）を自動運用無人のテンポラリ河川海浜堰システムとできる。
【考案を実施するための最良の形態】
【０００７】
本考案の実施の形態の一例について、図面を参照しながら説明する。
テンポラリ河川海浜堰システムは、図１に示すように、河川海浜水位検出による制御情報発生システム６、により電動式ポンプ付き給排水制御システム１、1’の吸込口（バルブ付き）３、３’が始動吸水し、給排水兼用配管４、により水袋５、の形状を整え用済み後、吐出口（バルブ付き）２、２’により排水するテンポラリ河川海浜堰システムである。水袋５、を砂袋とするためのサンドブラストシステム７、又は空気袋とするための圧縮空気送入システム８、も具備している。
【図面の簡単な説明】
【０００８】
【図１】本考案のテンポラリ河川海浜堰システム図である。  テンポラリ河川海浜堰システムは、図１に示すように、電動式ポンプ付き給排水制御システム１、１’の吐出口（バルブ付き）２、２’吸込口（バルブ付き）３、３’給排水兼用配管４、水袋５、（空気又は砂でも可）河川海浜水位検出による制御情報発生システム６、砂袋のためのサンドブラストシステム７、空気袋のための圧縮空気送入システム８。
【符号の説明】
【０００９】
１, １’      電動式ポンプ付き給排水制御システム
２，２’      吐出口（バルブ付き）
３，３’      吸込口（バルブ付き）  
４          給排水兼用配管
５          水袋（空気袋、砂袋にもなる。）
６          河川海浜水位検出による制御情報発生システム
７          （砂袋のための）サンドブラストシステム
８          （空気袋のための）圧縮空気送入システム
【図１】
0003159307.tif 000003
【手続補正書】
【提出日】平成21年1月23日(2009.1.23)
【手続補正１】
【補正対象書類名】実用新案登録請求の範囲
【補正対象項目名】請求項１
【補正方法】変更
【補正の内容】
【請求項１】
給排水兼用配管にバルブ付き吸込口とバルブ付き吐出口を具備し、マンション建設に使う鉄管とその接ぎ留め金具により作業者の足場を造るための囲いのやぐらにより電動式ポンプ付き給排水制御システムにより水袋を河川又は海浜の堰として形状を保ち水害、洪水、火災、高潮、津波、堤防破壊の防災に柔軟な運用をするテンポラリ河川海浜システム。
【手続補正書】
【提出日】平成21年3月18日(2009.3.18)
【手続補正１】
【補正対象書類名】実用新案登録請求の範囲
【補正対象項目名】請求項１
【補正方法】変更
【補正の内容】
【請求項１】
給排水兼用配管にバルブ付き吸込口とバルブ付き吐出口を具備した水袋に関し、マンション建設に使う作業者の足場を造るための囲いのやぐらを鉄管とその接ぎ留め金具により作り、その囲いのやぐらにより電動式ポンプ付き給排水制御システムにより前述の水袋の形状を保つ事に流用し、河川又は海浜の堰とするもの。
この水袋と囲いのやぐらで作った河川又は海浜の堰を水害、洪水、高潮、津波堤防破壊にその水袋の形状で一時的仮設の河川海浜防災システムとして、火災にはその水袋の水を消火水として防災対策システムとする事でテンポラリ河川海浜堰システムとします。
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
水袋と囲いやぐらで構成して河川又は海浜の堰で水害、洪水、高潮、津波堤防破壊対策の一時的仮設としたテンポラリ河川海浜堰システム。
【請求項２】
水袋に給排水兼用配管とバルブ付き吸込口とバルブ付き吐出口を具備した事を特徴とする請求項１記載のテンポラリ河川海浜堰システム。
【請求項３】
マンション建設に使う作業者の足場を造るため囲いのやぐらを鉄管とその接ぎ留め金具により構成し、やぐらの中の水袋の形状を造るのに電動式ポンプ付き給排水制御システムを具備した事を特徴とする請求項１記載のテンポラリ河川海浜堰システム。
【請求項４】
防火対策の水袋から霧雨又は雲粒の微粒子を作る市販の噴霧用ノズルで消火の効果を油火災にまで向上させる噴霧用ノズルを具備する事を特徴とする請求項１記載のテンポラリ河川海浜堰システム。
【請求項５】
防火対策の水袋に給水するために、消火の効果向上を噴霧用ノズルとで相乗効果を果す電荷のもつ原子を「移動する」という油火災でも水和物とされるイオン水作りの市販の水道水のイオン水製造装置を具備する事を特徴とする請求項１記載のテンポラリ河川海浜堰システム。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
ピケ「足場」の鉛管と接ぎ留め金具の組み形状で水袋の形を創り構成して従来の土のうに追加した水害、洪水、高潮、津波による堤防破壊対策に一時的仮設の河川又は海浜の堰としたテンポラリ河川海浜堰システム。
【請求項２】
水袋に給排水兼用配管とバルブ付き吸込口とバルブ付き吐出口を具備した事を特徴とする請求項１記載のテンポラリ河川海浜堰システム。
【請求項３】
水袋には電動式ポンプ付き給排水制御システムを具備した事を特徴とする請求項１記載のテンポラリ河川海浜堰システム。
【請求項４】
防火対策の水袋から霧雨又は雲粒の微粒子を作るための市販の噴霧用ノズルで消火の効果を油火災対策にまで向上させるための噴霧用ノズルを具備する事を特徴とする請求項１記載のテンポラリ河川海浜堰システム。
【手続補正書】
【提出日】平成21年8月21日(2009.8.21)
【手続補正１】
【補正対象書類名】実用新案登録請求の範囲
【補正対象項目名】全文
【補正方法】変更
【補正の内容】
【実用新案登録請求の範囲】
【請求項１】
ピケ足場の鉛管と接ぎ留め金具の組み形状で水袋の形を創り水袋のサイズ・形状を給排水で整え構成して土のうに追加した水害、洪水、高潮、津波による堤防破壊対策に前述の水袋を一時的仮設の河川又は海浜の堰としたテンポラリ河川海浜堰システム。
【請求項２】
水袋に給排水兼用配管とバルブ付き吸込口とバルブ付き吐出口を具備した事を特徴とする請求項１記載のテンポラリ河川海浜堰システム。
【請求項３】
水袋には電動式ポンプ付き給排水制御システムを具備した事を特徴とする請求項１記載のテンポラリ河川海浜堰システム。
【請求項４】
防火対策の水袋から霧雨状又は雲粒状の微粒子を作るための市販の噴霧用ノズルで消火の効果を油火災対策にまで向上させるための噴霧用ノズルを具備する事を特徴とする請求項１記載のテンポラリ河川海浜堰システム。
【手続補正書】
【提出日】平成21年11月20日(2009.11.20)
【手続補正１】
【補正対象書類名】実用新案登録請求の範囲
【補正対象項目名】請求項４
【補正方法】変更
【補正の内容】
【請求項４】
防火対策の水袋から霧雨状又は霧粒状の微粒子を作るための噴霧用ノズルで消火の効果を油火災対策にまで向上させるための噴霧用ノズルを具備する事を特徴とする請求項１記載のテンポラリ河川海浜堰システム。